(57)【要約】【課題】  １つの記録媒体において複数のＤＣＩＭディレクトリを選択的に利用できるようにする。【解決手段】  記録媒体７０のファイルシステム上で、任意のディレクトリ下にＤＣＦ準拠のディレクトリ構造を配置し、所定箇所に画像ファイル等を配置する。アクセスする際には、ＤＣＦファイルシステムのルートとなるディレクトリをユーザに選択させる。選択されたディレクトリを元にファイルパスを作成し、画像ファイルを読み書きする。【選択図】  図１
2008204300.tif 000002
【特許請求の範囲】
【請求項１】
複数のディレクトリから任意のディレクトリを選択するディレクトリ選択手段と、
前記ディレクトリ選択手段によって選択されたディレクトリをルートディレクトリとして、画像データを前記記録媒体に記録する記録手段
とを有することを特徴とする撮像装置。
【請求項２】
前記記録媒体に記録される画像データから処理対象画像データを指定する指定手段と、
前記指定手段で指定された処理対象画像データの処理内容を記述する処理内容指定ファイルであって、前記ディレクトリ選択手段によって選択されたディレクトリに格納される処理内容指定ファイル
とをさらに有することを特徴とする請求項１に記載の撮像装置。
【請求項３】
前記ディレクトリ選択手段で選択されたディレクトリを除くディレクトリにある画像データを操作の対象にしないようにすることを特徴とする請求項１または２に記載の撮像装置。
【請求項４】
記録媒体に任意の名前のディレクトリを生成するディレクトリ生成手段と、
前記ディレクトリ生成手段によって生成したディレクトリをルートディレクトリとして、画像データを前記記録媒体に記録する記録手段
とを有することを特徴とする撮像装置。
【請求項５】
前記記録媒体に記録される画像データから処理対象画像データを指定する指定手段と、
前記指定手段で指定された処理対象画像データの処理内容を記述する処理内容指定ファイルであって、前記ディレクトリ生成手段によって生成されたディレクトリに格納される処理内容指定ファイル
とをさらに有することを特徴とする請求項４に記載の撮像装置。
【請求項６】
前記ディレクトリ生成手段で生成されたディレクトリを除くディレクトリにある画像データを操作の対象にしないようにすることを特徴とする請求項４または５に記載の撮像装置。
【請求項７】
複数のディレクトリから任意のディレクトリを選択するディレクトリ選択手段と、
前記ディレクトリ選択手段によって選択したディレクトリに含まれるディレクトリおよびファイルをルートディレクトリに移動する移動手段
とを有することを特徴とする撮像装置。
【発明の詳細な説明】
【技術分野】
【０００１】
本発明は、画像データを記録媒体に記録する撮像装置（デジタルカメラ等）に関し、画像データを任意のディレクトリに配置可能な撮像装置に関する。
【背景技術】
【０００２】
近年、デジタルカメラの普及に伴い、撮影画像を他のデジタルカメラで再生したり、様々な種類のプリンタに画像出力するなど、機器間で直接、画像を交換するニーズが高まっている。ＤＣＦ（Design rule for Camera File system）規格（以下、「ＤＣＦ」という）は、このようなニーズに対応するために日本電子工業振興協会（JEIDA）によって制定されたものであり、現在のほぼ全てのデジタルカメラが準拠している規格である。また、デジタルカメラが準拠している規格には、ＤＰＯＦ（Digital Print Order Format）規格（以下、「ＤＰＯＦ」という）も知られている。ＤＰＯＦに準拠したファイルには、印刷すべき画像を指定する印刷指定情報、外部機器に転送すべき画像を指定する転送指定情報の少なくともが格納されている。
【０００３】
図８は、ＤＣＦに準拠したディレクトリ構造の一例である。ルートディレクトリ１０１直下のディレクトリ名“ＤＣＩＭ”を持つディレクトリ１０２は、ＤＣＦイメージルートディレクトリ（以下、「ＤＣＩＭディレクトリ」と略す）と呼ばれる。ディレクトリＤＣＩＭ１０２の下に、複数の画像格納用ディレクトリ１０３，１０４が置かれている。画像格納用ディレクトリ１０３，１０４の名前は、１００から９９９の３桁の数字と５桁の自由文字からなり、「ＤＣＦディレクトリ」と呼ばれる。各ＤＣＦディレクトリ１０３，１０４には、１以上のＤＣＦオブジェクトファイル（以下、「ＤＣＦファイル」と略す）１０５，１０６を格納可能である。ＤＣＦファイル１０５，１０６は、例えば、ＪＰＥＧ圧縮された撮影画像を含む画像ファイルである。ＤＣＦファイル１０５，１０６のファイル名は、拡張子を除いて４文字の自由文字と４文字のファイル番号（０００１〜９９９９）からなる。
【０００４】
ルートディレクトリ直下の、ディレクトリ名“ＭＩＳＣ”を持つディレクトリ、即ち、ＭＩＳＣディレクトリ１０７には、ＤＰＯＦに準拠したファイルであるＤＰＯＦファイル１０８が格納されている。
【特許文献１】特開２００２−１９９３３４号公報
【発明の開示】
【発明が解決しようとする課題】
【０００５】
ＤＣＦでは、ＤＣＩＭディレクトリのディレクトリ名は「ＤＣＩＭ」に固定されている。そのため、第１の記録媒体のＤＣＩＭディレクトリを第２の記録媒体にコピーまたはバックアップする場合、第２の記録媒体のＤＣＩＭディレクトリが第１の記録媒体のＤＣＩＭディレクトリによって上書きされてしまうという問題がある。特許文献１には、実際に記録媒体に記録されているディレクトリ名に仮想的なディレクトリ名を設定するカメラが記載されているが、特許文献１に記載されている方法でもこの問題を解決することはできない。
【０００６】
このような問題を解決する方法として、第１の記録媒体のＤＣＩＭディレクトリのディレクトリ名を「ＤＣＩＭ」以外のディレクトリ名に変更して第１の記録媒体にコピーまたはバックアップする方法が考えられる。
【０００７】
しかしながら、この方法では、第２の記録媒体にコピーまたはバックアップされた第１の記録媒体のＤＣＩＭディレクトリは、「ＤＣＩＭ」以外のディレクトリ名に変更されているので、ＤＣＩＭディレクトリとして扱うことはできない。そのため、１つの記録媒体において複数のＤＣＩＭディレクトリを選択的に利用することができないという問題がある。
【０００８】
本発明は、このような問題を解決するためになされたものであり、１つの記録媒体において複数のＤＣＩＭディレクトリを選択的に利用できる撮像装置を提供することを目的とする。
【課題を解決するための手段】
【０００９】
上記の目的を達成するために、本発明に係る撮像装置は、例えば、複数のディレクトリから任意のディレクトリを選択するディレクトリ選択手段と、前記ディレクトリ選択手段によって選択されたディレクトリをルートディレクトリとして、画像データを前記記録媒体に記録する記録手段とを有することを特徴とする。
【００１０】
上記の目的を達成するために、本発明に係る他の撮像装置は、例えば、記録媒体に任意の名前のディレクトリを生成するディレクトリ生成手段と、前記ディレクトリ生成手段によって生成したディレクトリをルートディレクトリとして、画像データを前記記録媒体に記録する記録手段とを有することを特徴とする。
【００１１】
上記の目的を達成するために、本発明に係る他の撮像装置は、例えば、複数のディレクトリから任意のディレクトリを選択するディレクトリ選択手段と、前記ディレクトリ選択手段によって選択したディレクトリに含まれるディレクトリおよびファイルをルートディレクトリに移動する移動手段とを有することを特徴とする。
【発明の効果】
【００１２】
本発明によれば、１つの記録媒体において複数のＤＣＩＭディレクトリを選択的に利用することができる。
【発明を実施するための最良の形態】
【００１３】
以下、図面を参照して、本発明の実施例を詳細に説明する。なお、以下の実施例において、「ディレクトリ」は「フォルダ」と言い替えてもよい。
【００１４】
図１は、本発明の一実施例における撮像装置の一例であるデジタルカメラ１０の概略構成を示すブロック図である。
【００１５】
撮像レンズ１２は、被写体からの光学像を、絞り１４およびシャッタ１６を介して撮像素子１８に入射する。絞り１４およびシャッタ１６は、撮像レンズ１２からの露光量を調節する。撮像素子１８は、被写体の光学像をアナログ画像信号に変換する。撮像素子１８には、ＣＣＤイメージセンサ又はＣＭＯＳイメージセンサ等を用いることができる。Ａ／Ｄ変換器２０は、撮像素子１８からのアナログ画像信号をデジタル化して画像データに変換する。
【００１６】
タイミング発生部２２は、メモリ制御部２６およびシステム制御部５０の制御下で、クロック信号を撮像素子１８、Ａ／Ｄ変換器２０および表示制御部３０に供給する。
【００１７】
画像処理部２４は、Ａ／Ｄ変換器２０またはメモリ制御部２６からの画像データに対して、画像データに付加されている処理データに基づき、画素補間処理、色変換処理等を行う。
【００１８】
また、画像処理部２４は、ＴＴＬ（スルー・ザ・レンズ）方式でのオートフォーカス（ＡＥ）処理、自動露出（ＡＥ）制御、オートフォーカス（ＡＦ）処理およびストロボ調光処理のための演算を行う。これらのための演算結果に従い、システム制御部５０は、フォーカス、露光量およびストロボ発光を制御する。すなわち、フォーカス制御部４２により撮像レンズ１２のフォーカスを制御する。シャッタ制御部３８および絞り制御部４０により露光量を制御する。ストロボ制御部４６によりストロボ４４のプリ発光と調光を制御する。画像処理部２４はまた、撮影画像に対する色バランス調整（ＡＷＢ）処理を施す。
【００１９】
メモリ制御部２６は、Ａ／Ｄ変換器２０、タイミング発生部２２、画像処理部２４、画像表示メモリ２８、表示制御部３０、メモリ３４および圧縮伸長部３６を制御する。また、メモリ制御部２６は、Ａ／Ｄ変換器２０から出力される画像データを画像表示用に画像表示メモリ２８に書込み、記録用にメモリ３４に転送する。
【００２０】
表示制御部３０は、メモリ制御部２６からの画像データに、システム制御部５０からの種々の情報、例えば、動作モード、合焦の有無、手振れの有無、シャッタスピード、絞り値および露出補正等に関する情報を重畳して、画像表示部３２に供給する。これにより、画像表示部３２は、電子ファインダとして機能する。
【００２１】
画像表示部３２は液晶表示器（Liquid Crystal Display）等からなる。また、画像表示部３２は、システム制御部５０の指示により表示、電源のオン／オフが可能である。例えば、画像表示部３２の表示をオフにした場合、デジタルカメラ１０の電力消費を大幅に低減できる。
【００２２】
メモリ３４は、撮影した静止画像、動画像を一時的に格納するバッファとして機能し、所定枚数の静止画像、所定時間の動画像を格納するのに充分な記憶容量を備えている。これにより、複数枚の静止画像を連続して撮影する連写、パノラマ撮影を実現できる。また、メモリ３４は、システム制御部５０の作業領域としても使用可能である。さらに、メモリ３４は、記録媒体７０から記録画像を読み出して再生表示する際のバッファとしても使用される。
【００２３】
圧縮伸長部３６は、メモリ３４の画像データを所定の圧縮方式（例えば、適応離散コサイン変換等）を使って圧縮データ（例えば、ＪＰＥＧデータ）に変換する。また、圧縮伸長部３６は、記録媒体７０から読出した圧縮画像データを伸長し、伸長した画像データをメモリ３４に書き込む。
【００２４】
シャッタ制御部３８は、シャッタ１６を制御する。絞り制御部４０は絞り１４を制御する。フォーカス制御部４２は撮像レンズ１２のフォーカシングを制御する。ストロボ制御部４６はストロボ４４の発光を制御する。
【００２５】
システム制御部５０は、メモリ５２内のプログラムに従ってデジタルカメラ１０全体を制御する。メモリ５２は、システム制御部５０の動作用の定数、変数、プログラム等を記憶する。メモリ５２には、撮像動作を制御するプログラム、画像処理を制御するプログラム、画像ファイルを記録媒体７０に記録する処理を制御するプログラム、画像ファイルを記録媒体７０から読み出す処理を制御するプログラムなどが記憶されている。また、メモリ５２には、これらのプログラムのマルチタスク構成を実現するＯＳ（オペレーティングシステム）などのシステムプログラムも記憶されている。さらに、メモリ５２には、図４から図７を参照して説明する処理を制御するためのプログラムも記憶されている。
【００２６】
モードダイアル５４、第１レリーズスイッチ５６、第２レリーズスイッチ５７、メニュースイッチ５８、編集スイッチ６０、消去スイッチ６２および属性変更スイッチ６４は、システム制御部５０に撮影者が各種の動作指示を入力するための操作手段である。
【００２７】
モードダイアル５４は、各機能モードを切り替え設定することに使用される。例えば、電源オン／オフモード、再生モード、撮影モード、マルチ画面再生・消去モード、編集モード、ファイル読み取り専用属性変更モードおよびＰＣ接続モード等がある。撮影モードには、自動撮影モード、プログラム撮影モード、シャッタ速度優先撮影モード、絞り優先撮影モード、マニュアル撮影モード、ポートレート撮影モード、風景撮影モード、接写撮影モード、スポーツ撮影モード、夜景撮影モードなどがある。
【００２８】
第１レリーズスイッチ５６は、シャッタレリーズ操作の途中（半押し状態）でオンになり、第２レリーズスイッチ５７は、シャッタレリーズ操作の最後（全押し状態）でオンになる。第１レリーズスイッチ５６がオンになるとは、システム制御部５０は、ＡＦ処理、ＡＥ処理、ＡＷＢ処理およびＥＦ処理等を開始する。第２レリーズスイッチ５７がオンになると、システム制御部５０は、撮影画像の記録媒体への記録を実行する。より具体的には、システム制御部５０は、露光処理、現像処理および記録処理という一連の処理の動作開始を各部に指示する。露光処理では、撮像素子１８から読み出されたアナログ画像信号が、Ａ／Ｄ変換器２０、画像処理部２４およびメモリ制御部２６を介してメモリ３４に書き込まれる。現像処理には画像処理部２４およびメモリ制御部２６が使用される。記録処理では、メモリ３４から画像データを読み出し、圧縮伸長部３６で圧縮し、記録媒体７０に圧縮画像データを書き込む。
【００２９】
メニュースイッチ５８は、デジタルカメラ１０の撮影条件、現像条件などの各種設定の変更に使用される。編集スイッチ６０は、画像ファイルの編集に使用される。消去スイッチ６２は、画像ファイルの消去に使用される。属性変更スイッチ６４は、画像ファイルの読み取り専用属性の変更に使用される。これらのスイッチ５８，６２，６４は、十字キーとセットキー等からなる汎用的なスイッチの組み合わせでも実現され得る。
【００３０】
電源制御部６６は、電池検出回路、ＤＣ−ＤＣコンバータ、および通電するブロックを切り替えるスイッチ回路等により構成されており、電池の装着の有無、電池の種類、および電池残量を検出する。電源制御部６６は、この検出結果およびシステム制御部５０の指示に基づいてＤＣ−ＤＣコンバータを制御し、必要な電圧を必要な期間、記録媒体７０を含む各部に供給する。インターフェース６８は、コネクタ６９を介して記録媒体７０に接続し、記録媒体７０にデータを読み書きする。コネクタ６９は、記録媒体７０のコネクタ７２と接続する。
【００３１】
なお、本実施例は、インターフェース６８およびコネクタ６９を１系統のみ有するが、複数系統を備えるようにしてもよい。また、異なる系統のインターフェース６８およびコネクタ６９を設けてもよい。
【００３２】
インターフェース６８およびコネクタ６９は、ＰＣＭＣＩＡカード、メモリカード等に関する規格に準拠する。コネクタ６９に各種通信カードを接続することにより、他のコンピュータや周辺機器（プリンタ等）との間で画像データや当該画像データに付属した管理情報を転送し合うことができる。通信カードには、ＬＡＮカード、モデムカード、ＵＳＢカード、ＩＥＥＥ１３９４カード、Ｐ１２８４カード、ＳＣＳＩカード、ＰＨＳ等がある。
【００３３】
記録媒体７０は、不揮発性メモリを有する取り外し可能な記録媒体であり、メモリカード、ハードディスク装置等の記録媒体からなる。また、記録媒体７０は、コネクタ６９と接続をするコネクタ７２と、記録媒体インターフェース７４と、画像ファイル等のファイルを記録する記録領域７６とを有する。
【００３４】
図２は、記録媒体７０内に構成されているディレクトリ構造を示す。ルートディレクトリ８０（”／”）の下の階層には、ＤＣＩＭディレクトリ１０２、ＭＩＳＣディレクトリ１０７、”ＡＡＡ”ディレクトリ８１および”ＢＢＢ”ディレクトリ９１が存在する。ＤＣＩＭディレクトリ１０２は、ＤＣＦディレクトリ１０３，１０４を有する。ＤＣＦディレクトリ１０３（”１００ＡＢＣＤＥ”）は、ＤＣＦファイル１０５（”ＡＢＣＤ０００１．ＪＰＧ”）を有し、ＤＣＦディレクトリ１０４（”１０１ＦＧＨＩＪ”）は、ＤＣＦファイル１０６（”ＥＦＧＨ０００１．ＪＰＧ”）を有する。ＭＩＳＣディレクトリ１０７は、ＤＰＯＦに準拠したファイルであるＤＰＯＦファイル１０８（”ＡＵＴＰＲＩＮＴ．ＭＲＫ”）を有する。”ＡＡＡ”ディレクトリ８１および”ＢＢＢ”ディレクトリ９１は仮想的にルートディレクトリとして選択可能なディレクトリであり、ディレクトリ８１，９１の何れにもＤＣＩＭディレクトリ、ＭＩＳＣディレクトリを配置することができる。”ＡＡＡ”ディレクトリ８１はＤＣＩＭディレクトリ８２を有し、”ＢＢＢ”ディレクトリ９１はＤＣＩＭディレクトリ９２およびＭＩＳＣディレクトリ９７を有する。ＤＰＯＦファイル９７は、ＤＰＯＦに準拠したファイルである。ＤＣＩＭディレクトリ８２は、ＤＣＦディレクトリ８３（”２００ＡＢＣＤＥ”）を有し、ＤＣＦディレクトリ８３は、ＤＣＦファイル８５（”ＡＢＣＤ０００１．ＪＰＧ”）を有する。ＤＣＩＭディレクトリ９２は、ＤＣＦディレクトリ９３（”１００ＦＧＨＩＪ”）を有し、ＤＣＦディレクトリ９３は、ＤＣＦファイル９５（”ＥＦＧＨ０００１．ＪＰＧ”）を有する。ＤＣＦファイル９６は、ＤＣＦディレクトリ９３に記録されるファイルである。ＭＩＳＣディレクトリ９７は、ＤＰＯＦに準拠したファイルであるＤＰＯＦファイル９８（”ＡＵＴＰＲＩＮＴ．ＭＲＫ”）を有する。
【００３５】
図３は、本実施例における表示画面の一つであるルート選択リストの一例を示す図である。図３に示すルート選択リストには、ルートディレクトリとして選択可能なディレクトリのリストが表示される。図３に示すように、ルート選択リストには、本来のルートディレクトリ８０（”／”）の他に、ユーザがルートディレクトリとして選択可能な”ＡＡＡ”ディレクトリ８１と”ＢＢＢ”ディレクトリ９１が表示される。また、ルート選択リストには、ユーザが新規にルートディレクトリとして選択可能なディレクトリを生成するための選択肢「新規作成」９９も表示され、ユーザは、何れも選択可能である。
【００３６】
図４は、ユーザによるルートディレクトリの選択および生成の一連のシーケンスを説明するフローチャートである。なお、図４を参照して説明する処理は、メモリ５２内のプログラムに従ってシステム制御部５０により制御されるものとする。また、システム制御部５０は、特許請求の範囲に記載のディレクトリ選択手段、ディレクトリ生成手段および移動手段として機能するものとする。
【００３７】
記録媒体７０のディレクトリ構造を検索し、図３に示すルート選択リストを画像表示部３２に表示する（Ｓ１１）。
【００３８】
画像表示部３２に表示されたルート選択リストに対し、ユーザは、メニュースイッチ５８を操作して所望の選択肢を選択し、システム制御部５０は選択結果をメモリ５２に一時格納する（Ｓ１２）。「新規作成」９９が選択された場合（Ｓ１３）、新規にディレクトリを生成する（Ｓ１４）。なお、ディレクトリ名の生成は、自動でも、ユーザが任意の文字列を入力しても良い。新規に作成されたディレクトリを、仮想的なルートディレクトリとして扱うための変更処理を行う（Ｓ１５）。
【００３９】
ユーザの選択が「新規作成」９９以外の場合には（Ｓ１３）、選択されたディレクトリを仮想的なルートディレクトリとして扱うための変更処理を行う（Ｓ１５）。ルートディレクトリの変更処理（Ｓ１５）では、指定ディレクトリ以下のディレクトリおよびファイルを全て検索する検索処理を実行する。ＤＣＦに準拠した命名か否かを判定する判定処理を実行する。そして、記録および再生を行うための情報をメモリ３４に一時保存する処理を実行する。
【００４０】
なお、本実施例では、選択されたディレクトリ以下をルートディレクトリ８０（”／”）に移動しないが、選択されたディレクトリ以下をルートディレクトリ８０（”／”）に移動し、ルートディレクトリ８０（”／”）以下の、選択されたディレクトリ以下を除くディレクトリを、別のディレクトリに移動するようにしてもよい。
【００４１】
図５は、撮影から撮影画像の記録媒体７０への記録までの一連のシーケンスを説明するフローチャートである。ここでは、“ＢＢＢ”ディレクトリ９１が仮想ルートディレクトリとして選択され、ＤＣＦファイル９６（”ＥＦＧＨ０００２．ＪＰＧ”）が、記録される場合を例に、動作を説明する。なお、図５を参照して説明する処理は、メモリ５２内のプログラムに従ってシステム制御部５０により制御されるものとする。
【００４２】
第１レリーズスイッチ５６の操作に応答し、ＡＦ処理、ＡＥ処理および露光処理までの一連の撮影処理が行われる（Ｓ２１）。画像データ、撮影情報等を含むＤＣＦファイル９６が生成され、メモリ３４に一時保存される（Ｓ２２）。前述のルートディレクトリの選択によりメモリ３４に一時保存された“ＢＢＢ”ディレクトリ９１をルートディレクトリとする。そして、ステップＳ２２で生成されたＤＣＦファイル９６のファイルパス”／ＢＢＢ／ＤＣＩＭ／１００ＦＧＨＩＪ／ＥＦＧＨ０００２．ＪＰＧ”を生成し、メモリ３４に一時保存する（Ｓ２３）。メモリ３４に一時保存されたＤＣＦファイル９６を、メモリ３４に一時保存されたファイルパスで記録媒体７０に書き込む（Ｓ２４）。
【００４３】
本実施例では、撮影動作の後にファイルパスを生成したが、勿論、撮影動作の前にファイルパスを生成しても良い。
【００４４】
図６は、本実施例の画像再生動作を説明するフローチャートである。ここでは、前述のルートディレクトリの選択において、“ＢＢＢ”ディレクトリ９１がルートディレクトリとして選択され、処理対象画像データとしてＤＣＦファイル９５（”ＥＦＧＨ０００１．ＪＰＧ”）を再生する場合を例に説明する。なお、図６を参照して説明する処理は、メモリ５２内のプログラムに従ってシステム制御部５０により制御されるものとする。
【００４５】
ユーザにより、モードダイアル５４の操作により再生モードが選択され、再生対象の画像ファイルが指定される（Ｓ３１）。本実施例では、ＤＣＦファイル９５（”ＥＦＧＨ０００１．ＪＰＧ”）を選択するものとする。前述のルートディレクトリの選択によりルートディレクトリとして指定された“ＢＢＢ”ディレクトリ９１とステップＳ３１で指定されたＤＣＦファイル９５（”ＥＦＧＨ０００１．ＪＰＧ”）から、ファイルパス”／ＢＢＢ／ＤＣＩＭ／１００ＦＧＨＩＪ／ＥＦＧＨ０００１．ＪＰＧ”を生成する。生成したファイルパスをメモリ３４に一時保存する（Ｓ３２）。メモリ３４に一時保存されたファイルパスに従い、記録媒体７０からＤＣＦファイル９５（”ＥＦＧＨ０００１．ＪＰＧ”）を読み出し、メモリ３４に一時保存する（Ｓ３３）。
【００４６】
圧縮伸長部３６がメモリ３４からＤＣＦファイル９５（”ＥＦＧＨ０００１．ＪＰＧ”）の圧縮画像データを読み出して伸長し、伸長された画像データをメモリ３４に書き込む。メモリ制御部２６は、メモリ３４の伸長により再生された画像データを画像表示メモリ２８に転送し、画像表示メモリ２８から画像データを一定周期で繰り返し表示制御部３０に転送する。これにより、再生画像が画像表示部３２に表示される（Ｓ３４）。
【００４７】
図７は、本実施例の印刷指定情報記録の一連のシーケンスを説明するフローチャートである。ここでも、前述のルートディレクトリの選択において、“ＢＢＢ”ディレクトリ９１が選択され、ＤＣＦファイル９５（”ＥＦＧＨ０００１．ＪＰＧ”）の印刷指定を印刷指定ファイル９８（”ＡＵＴＯＰＲＩＮＴ．ＭＲＫ”）に記述する場合を例に説明する。印刷指定ファイル９８（”ＡＵＴＯＰＲＩＮＴ．ＭＲＫ”）が、特許請求の範囲に記載される処理内容指定ファイルに相当する。なお、図７を参照して説明する処理は、メモリ５２内のプログラムに従ってシステム制御部５０により制御されるものとする。
【００４８】
ユーザは、メニュースイッチ５８を使って、処理対象画像データとしてＤＣＦファイル９５（”ＥＦＧＨ０００１．ＪＰＧ”）を指定する（Ｓ４１）。この処理が、特許請求の範囲に記載の指定手段に相当する。
【００４９】
前述のルートディレクトリの選択によりルートディレクトリとして指定された“ＢＢＢ”ディレクトリ９１とステップＳ４１で指定されたＤＣＦファイル９５とから、ファイルパス”／ＢＢＢ／ＤＣＩＭ／１００ＦＧＨＩＪ／ＥＦＧＨ０００１．ＪＰＧ”を生成する。そして、生成したファイルパスをメモリ３４に一時保存する（Ｓ４２）。また、“ＢＢＢ”ディレクトリ９１をルートディレクトリとして、印刷指定ファイル９８へのファイルパス”／ＢＢＢ／ＭＩＳＣ／ＡＵＴＯＰＲＮＴ．ＭＲＫ”を生成し、メモリ３４に一時保存する（Ｓ４３）。
【００５０】
メモリ３４に一時保存された印刷指定ファイル９８へのファイルパスに従い、印刷指定ファイル９８をメモリ３４に読み出し、ステップＳ４２で生成したＤＣＦファイルパスを指定する印刷指定情報に追加し、メモリ３４に一時保存する（Ｓ４４）。メモリ３４に一時保存された印刷指定ファイル９８を、ステップＳ４３のファイルパスに従い、記録媒体７０に書き込む（Ｓ４５）。
【００５１】
本実施例では、図７を参照して印刷指定ファイル９８を編集する手順を説明したが、外部機器に転送したい画像ファイルを指定する転送指定ファイルが記録媒体７０内にあれば、図７に示す手順を用いて当該転送指定ファイルを編集してもよい。また、デジタルカメラ１０で自動的に再生した画像ファイルを指定する自動再生ファイルが記録媒体７０内にあれば、図７に示す手順を用いて当該自動再生ファイルを編集してもよい。
【００５２】
なお、本実施例では、本発明に係る撮像装置の一例としてデジタルカメラを説明したが、本発明に係る撮像装置は、デジタルカメラに限るものではなく、デジタルビデオカメラ、カメラ付き携帯端末、カメラ付き携帯電話等にも適用できることは明らかである。
【００５３】
また、本実施例で説明した様々な処理手順は、マイクロコンピュータ、パーソナルコンピュータ等のコンピュータがコンピュータプログラムに従って実現することも可能である。この場合、第１および第２の実施例で説明した処理手順の全部又は一部を実現するコンピュータプログラムは、ネットワーク又は記録媒体を介してコンピュータに提供される。
【図面の簡単な説明】
【００５４】
【図１】本発明の一実施例における撮像装置の一例であるデジタルカメラの概略構成を示すブロック図である。
【図２】本実施例におけるディレクトリ構造の一例を示す図である。
【図３】本実施例における表示画面の一つであるルート選択リストの一例を示す図である。
【図４】本実施例のルートディレクトリ選択シーケンスを説明するフローチャートを示す図である。
【図５】本実施例の記録シーケンスを説明するフローチャートを示す図である。
【図６】本実施例の再生シーケンスを説明するフローチャートを示す図である。
【図７】本実施例の印刷指定シーケンスを説明するフローチャートを示す図である。
【図８】ＤＣＦに準拠したディレクトリ構造の一例である。
【符号の説明】
【００５５】
１０  デジタルカメラ
１２  撮像レンズ
１４  絞り
１６  シャッタ
１８  撮像素子
２０  Ａ／Ｄ変換器
２２  タイミング発生部
２４  画像処理部
２６  メモリ制御部
２８  画像表示メモリ
３０  表示制御部
３２  画像表示部
３４  メモリ
３６  圧縮伸長部
３８  シャッタ制御部
４０  絞り制御部
４２  フォーカス制御部
４４  ストロボ
４６  ストロボ制御部
５０  システム制御部
５２  メモリ
５４  モードダイアル
５６  第１レリーズスイッチ
５７  第２レリーズスイッチ
５８  メニュースイッチ
６０  編集スイッチ
６２  消去スイッチ
６４  属性変更スイッチ
６６  電源制御部
６８  インターフェース
６９  コネクタ
７０  記録媒体
７２  コネクタ
７４  記録媒体インターフェース
７６  記録領域
【図１】
2008204300.tif 000003
【図２】
2008204300.tif 000004
【図３】
2008204300.tif 000005
【図４】
2008204300.tif 000006
【図５】
2008204300.tif 000007
【図６】
2008204300.tif 000008
【図７】
2008204300.tif 000009
【図８】
2008204300.tif 000010